(57)【要約】【課題】食材とその調味材とを同一容器内に分離させて収納しておき、喫食時には食材と調味材とを容器内で簡単に混ぜ合わせ調味でき、そのまま喫食可能にする。【解決手段】例えばガゼット底部２によって自立可能にする共に、所定の食材Ｆを底部がわに収納しておいて前後側壁片を備えた袋状の容器本体１と、容器本体１の前後側壁片の相互間で接合形成した易剥離性シール４によって容器本体１の上部に区画し、調味材Ｄを封入した調味材封入部３と、調味材封入部３の下方位置で容器本体１を開封破断するよう容器本体１に設けた開封破断部５と、調味材封入部３に対する外部からの押圧作用で前記易剥離性シール４を剥離させるに足るガス量を調味材封入部３に充填した状態で調味材封入部３、容器本体１それぞれの開口部を閉塞している開口部閉塞シール７とを備える。易剥離性シール４は、円弧線状としたり、逆台形線状としたりして形成する。【選択図】図１
2017214072.tif 000002
【特許請求の範囲】
【請求項１】
所定の食材が底部がわに収納される前後側壁片を備えた自立可能な袋状の容器本体と、この容器本体の前後側壁片の相互間で接合形成された易剥離性シールによって容器本体の上部に区画されていて、調味材が封入される調味材封入部と、この調味材封入部の下方位置で容器本体を開封破断するよう容器本体に設けた開封破断部と、調味材封入部に対する外部からの押圧作用で前記易剥離性シールを剥離させるに足るガス量が調味材封入部に充填された状態で調味材封入部、容器本体それぞれの開口部を閉塞している開口部閉塞シールとを備えることを特徴とする食品包装容器。
【請求項２】
容器本体の底部は、ガゼット底部となっている請求項１に記載の食品包装容器。
【請求項３】
易剥離性シールは、容器本体の底部がわに円弧状に膨出された円弧線状としたり、底部幅員が開口部幅員に比し小さい逆台形線状としたりしてある請求項１または２に記載の食品包装容器。
【請求項４】
易剥離性シールの外がわにおける容器本体の両脇部分は、容器本体内に充填されたガス圧によって中空柱状の空隙となしてある請求項１乃至３のいずれかに記載の食品包装容器。
【請求項５】
容器本体は、底部に平行した易裂方向性ある合成樹脂フィルムによって形成してある請求項１乃至４のいずれかに記載の食品包装容器。
【請求項６】
開封破断部には、易裂方向性のある帯テープ状の破断案内片を、この破断案内片における破断方向を容器本体の破断方向に合致させて貼着してある請求項１乃至５のいずれかに記載の食品包装容器。
【発明の詳細な説明】
【技術分野】
【０００１】
本発明は、喫食される食材（食品）とこの食材を調味材によって味付けしたり、更に同時に喫食する他の食材等を混ぜ合わせたりできるように、これらを同一の容器内に分離した状態で封入しておいて、喫食時には容器内で混ぜ合わせし、そのまま喫食できるようにした食品包装容器に関する。
【背景技術】
【０００２】
従来から、例えばコンビニエンスストア、スーパーマーケット等において喫食可能な状態にした各種の惣菜、弁当等を所定容器・袋等で包装したパック詰め食品が陳列販売されている。これらのパック詰めされた食品、例えば野菜サラダとした生野菜類や、枝豆等のいわゆる肴食品では予めの味付けによっては食品本来の風味・新鮮さが減殺されてしまうために喫食直前にドレッシングや味付け用塩等を振りかけて調味することとしている。そのために、これらの食品等をパック包装した容器内等には所定量の調味液、調味料等の調味材を別包装して同梱させている。
【０００３】
このような調味液等を別包装として封入するようにした従来の包装形態として、例えば特許文献１に示されるレトルト中間食品及びこれを用いた家畜の内臓料理の調理方法があり、特許文献２に示される調理用包装体を利用した食品セットとその調理方法がある。特許文献１における中間食品の包装は、短時間で所定の鍋料理などが調理できるように各種の食材等を包装した第１包装袋と、その味付け用の調味液等を封入した第２包装袋とを同梱して成る。特許文献２における調理用包装体は、二重構造をなす包装袋とし、調味液を収容した内袋に設けた易剥離性仮接着部が電子レンジ等による加熱時に破断することで調味液を食材に噴出混合させるようにして成る。
【先行技術文献】
【特許文献】
【０００４】
【特許文献１】特開２００５−２３７３２１号公報
【特許文献２】特開２００５−３５０１０９号公報
【発明の概要】
【発明が解決しようとする課題】
【０００５】
ところが、特許文献１による中間食品の包装形態では、調理すべくした加熱用鍋内に投入し、加熱する鍋料理とする際の食材と、その食材用の調味液等を纏めて封入しているのであり、食材等と調味液とはこれらを包装している包装容器・袋から取り出して鍋等に投入することで調理が容易となるようにしているにすぎない。ただ、このような食材と調味液等との同一封入形態は、例えばこれを生野菜等によるサラダ料理に適用するにしても、封入された包装形態からそれらを取り出して調味するから、従来と同様な手間が掛かることに変わりはない。また特許文献２による電子レンジ用の包装形態では、喫食時に電子レンジ機器の使用を前提とする包装であり、電子レンジによって加熱・加圧されることで破断されるとする内袋の易剥離性仮接着部構造を電子レンジ機器の使用が必要でない食品に適用するには困難である。
【０００６】
そこで本発明は上述したような従来存した諸事情に鑑み創出されたもので、調味される食材と、その食材用の各種の調味材（調味料、調味液等）とを分離区画部分によって相互に分離した状態で単一の包装体中に封入しておき、喫食時には外部からの適度な押圧作用を付与してその包装体中における分離区画部分を剥離して内部を一体状にすることでその包装体中で調味材を食材等に供給でき、混ぜ合わせることで調味可能にしてそのまま喫食できるようにした食品包装容器を提供することにある。
【課題を解決するための手段】
【０００７】
上述した課題を解決するため、本発明にあっては、後述する発明を実施するための形態における使用符号を付記して説明すると、所定の食材Ｆが底部がわに収納される前後側壁片を備えた自立可能な袋状の容器本体１と、この容器本体１の前後側壁片の相互間で接合形成された易剥離性シール４によって容器本体１の上部に区画されていて、調味材Ｄが封入される調味材封入部３と、この調味材封入部３の下方位置で容器本体１を開封破断するよう容器本体１に設けた開封破断部５と、調味材封入部３に対する外部からの押圧作用で前記易剥離性シール４を剥離させるに足るガス量が調味材封入部３に充填された状態で調味材封入部３、容器本体１それぞれの開口部を閉塞している開口部閉塞シール７とを備えることを特徴とする。
容器本体１の底部は、ガゼット底部２として構成することができる。
易剥離性シール４は、容器本体１の底部がわに円弧状に膨出された円弧線状としたり、底部幅員が開口部幅員に比し小さい逆台形線状としたりして構成することができる。
易剥離性シール４の外がわにおける容器本体１の両脇部分は、容器本体１内に充填されたガス圧によって中空柱状の空隙となして構成することができる。
容器本体１は、底部に平行した易裂方向性ある合成樹脂フィルムによって構成することができる。
開封破断部５には、易裂方向性のある帯テープ状の破断案内片６を、この破断案内片６における破断方向を容器本体１の破断方向に合致させて貼着して構成することができる。  
【０００８】
以上のように構成された本発明に係る食品包装容器にあって、調味材封入部３に対する外部からの押圧作用は、容器本体１の底部がわと調味材封入部３とを区画している易剥離性シール４を剥離させ、調味材封入部３に封入されていた調味材Ｄを容器本体１の底部がわに収納している所定の食材Ｆに供給させ、例えば容器本体１を振り動かすことで、食材Ｆを調味させる。調味させた食材Ｆは、開封破断部５にて開封破断させた容器本体１内から直接に喫食可能にさせる。
開口部閉塞シール７は、調味材封入部３に対する外部からの押圧作用に耐えて易剥離性シール４部分を剥離させ、食材Ｆに供給された調味材Ｄと食材Ｆとを容器本体１内で混ぜ合わせるときの容器本体１の振り動かしによっても、容器本体１の外部に食材Ｆ等を飛散させない。
円弧線状、逆台形状の易剥離性シール４は、調味材封入部３に対する外部からの押圧作用を実質的に狭幅の易剥離性シール４の底部がわに集中させて、容器本体１の底部がわで剥離させ、容器本体１の底部がわの食材Ｆへの調味材Ｄを速やかに供給噴出させる。
易剥離性シール４の外がわにおける容器本体１の両脇部分に充填されたガス圧による中空柱状の空隙は、容器本体１の上部を自立状の立脚状態とさせ、調味材封入部３に封入されている調味材Ｄ等の重量による容器本体１のへたりを阻止し、容器本体１自体の体裁性を損なわせない。
容器本体１が底部に平行な易裂方向性ある合成樹脂フィルムによって、あるいは開封破断部５に貼着の破断案内片６によって、これらの素材における易裂方向性に沿って容器本体１を開封破断させ、予定される開封ラインに沿って容器本体１を確実に開封させる。
また、例えばガゼット底部２を備えて自立可能で、例えば透視可能とした容器本体１は、例えば店頭での陳列その他で商品訴求性を発揮させ、収納した食材Ｆ、調味材Ｄ等をも外部から容易に視認させる。
【発明の効果】
【０００９】
本発明は以上説明したように構成されているため、調味される例えば生野菜サラダ料理となる生野菜等の食材Ｆと、その食材Ｆ用の各種のドレッシングその他の調味液・調味料等の調味材Ｄとを相互に分離した状態で単一の袋状の容器本体１内に封入した状態で供給販売でき、喫食時には外部からの適度な圧迫力・押圧作用の付与でその容器本体１内の食材Ｆに調味材Ｄを供給噴出でき、容器本体１内で混ぜ合わせることで調味可能にし、その後に容器本体１を破断開封することでそのまま喫食できる。
【００１０】
すなわちこれは本発明において、所定の食材Ｆが収納される自立可能な袋状の容器本体１と、この容器本体１に接合形成された易剥離性シール４によって容器本体１の上部に区画され、調味材Ｄが封入される調味材封入部３と、この調味材封入部３の下方位置で容器本体１を開封破断する開封破断部５と、調味材封入部３への押圧作用で前記易剥離性シール４を剥離させるに足るガス量が調味材封入部３に充填されて開口部を閉塞している開口部閉塞シール７とを備えるからである。これによって、食材Ｆ・調味材Ｄを分離した同一容器内での収納、容器外からの押圧作用による調味材Ｄの食材Ｆへの供給噴出、容器本体１内での食材Ｆ等の混ぜ合わせ調味、開封破断部５による破断開封による喫食等を可能にする。
【００１１】
また、易剥離性シール４は、容器本体１の底部がわに円弧状に膨出された円弧線状としたり、底部幅員が開口部幅員に比し小さい逆台形線状としたりして、容器本体１における前後側壁片相互間で接合形成されているから、調味材封入部３に対する外部からの押圧作用では、内部充填のガス圧と共に底部がわに押圧力が集中的に作用して剥離させ、容器本体１の底部がわに調味材Ｄを噴出させることになる。そのため、容器本体１の底部に収納されていた食材Ｆに確実に供給され、供給された状態で容器本体１を振り動かすようにすることで、容器本体１の開口部が開口部閉塞シール７によって閉塞されていることと相俟ち、外部に飛散させることなく、食材Ｆと調味材Ｄとは混ぜ合わされて調味され、喫食可能なものとなる。
【００１２】
開封破断部５は、調味材封入部３の下方位置で容器本体１に設けてあるから、食材Ｆと調味材Ｄとの混ぜ合わせ後で容器本体１を開封破断し、上部側である調味材封入部３と共に切除することで、容器本体１自体は、例えばガゼット底部２による自立作用によっても取扱いが容易な食器代用となり、そのままで喫食できる。もとより、他の食器に移し替えて喫食することも可能である。
【００１３】
易剥離性シール４の外がわにおける容器本体１の両脇部分は、容器本体１内に充填されたガス圧によって中空柱状の空隙となるようにしてあるから、容器本体１の上部を鉛直方向に沿った立脚状態を維持することができ、調味材封入部３に封入されている調味材Ｄ等が重量的に嵩張るものとなっても、その自重によって容器本体１の上部が折れ曲がり、垂れ下がり状となるのを阻止する。そのため、例えば店頭において陳列販売されるときでも容器本体１を体裁良く自立状態で並べることができ、商品価値を損なうこともなく、商品訴求力を維持できる。
【００１４】
底部に平行な易裂方向性ある合成樹脂フィルムによって容器本体１が形成されることで、また容器本体１の開封破断方向に沿っての易裂方向性ある破断案内片６が開封破断部５に貼着されることで、これらの素材における易裂方向性に沿って容器本体１を予定される開封ラインに沿って簡単に開封破断でき、食器代用ともなる容器本体１の変形を容易にする。特に、易裂方向性ある破断案内片６を貼着しておくことで、容易には破断が困難であるようなフィルムを素材とする容器本体１であっても、容器本体１の底部に平行にして破断開封できる。
【００１５】
また、例えばガゼット底部２によって自立可能にしてある容器本体１であるから、この容器本体１自体を透視可能にとしておくことで、内部に封入した調味材Ｄ、食材Ｆ等を外部から視認できて商品訴求力を増大させ、しかも例えば店頭陳列時では多数で並べておくことで販促にも役立つ。
【００１６】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１７】
【図１】本発明を実施するための一形態を示す斜視図である。
【図２】同じく断面図である。
【図３】同じく調味材封入部に対して外部から押圧作用を付与して調味材封入部から容器本体内への調味材の供給時の断面図である。
【図４】同じく調味作業時の斜視図である。
【図５】同じく喫食時の斜視図である。
【図６】同じく他の実施の形態における斜視図である。
【発明を実施するための形態】
【００１８】
以下、図面を参照して本発明を実施するための一形態を説明すると、図において示される符号１は袋状の容器本体であり、この容器本体１は、容器本体１自体を自立させるように底部が平底の拡がり状となるマチを形成した、例えばガゼット底部２を備えると共に、所定の調味材Ｄを封入する調味材封入部３を上部に、この調味材封入部３の下方に位置させて容器本体１の水平方向に沿って容器本体１を破断して開封させるようにした開封破断部５をほぼ中央部、また容器本体１、調味材封入部３を閉塞する開口部閉塞シール７を開口部それぞれに設けて成る。
【００１９】
この袋状の容器本体１は、底部に例えばガゼット底部２を形成させて、筒状あるいは両脇がシールされることで、前後で対向した対峙状となる前後側壁片から成っている。そして、容器本体１自体は、底部に平行な水平方向に沿って破断可能な易裂方向性ある適宜肉厚の合成樹脂製フィルムによって形成されるのが好ましく、水平方向に沿って容器本体１を破断切除させる開封破断部５による破断が容易であるようにしている。また、容器本体１は透明フィルム材料によって形成されることで内部に収納した例えばカットされた生野菜等の各種の食材（食品）Ｆを外観透視できるようにしておくも、必要に応じて所定のパッケージ模様等の表示印刷も可能である。
【００２０】
なお、容器本体１の底部は、容器本体１自体を自立可能にさせれば良く、ガゼット底部２の形状、構造等は特に限定されるものではない。
【００２１】
この容器本体１の内部、すなわちほぼ下半部の底部内には所定の食材Ｆ、例えば生野菜サラダとするカットされた所定量の各種の野菜・惣菜等が調味前の状態で収納されており、拡がり状となるガゼット底部２によって容器本体１が自立されるときの底部に纏められていて、容器本体１の自立性を向上させている。
【００２２】
調味材封入部３は、容器本体１の上部に、食材Ｆを収納した底部がわとはこの調味材封入部３における内部圧力に対する加圧によって容易に剥離される易剥離性シール４によって容器本体１の底部がわと区画形成されている。この調味材封入部３には、例えば生野菜サラダ用のドレッシング、マヨネーズその他の所定量の調味液、調味料等の調味材Ｄが、この調味材封入部３内に充填される所定量の例えば大気、窒素ガス、炭酸ガス等の所定のガスと共に封入されている。この調味材封入部３自体の内部圧力は、外部における通常気圧に拮抗し得る程度で、調味材封入部３自体をある程度の内部圧で充満状態のものとさせている。
【００２３】
易剥離性シール４は、容器本体１における前後側壁片相互を直接に接合することで形成されており、例えば図示のように正面から見て底部がわに円弧状に膨出された円弧線状としたり、図６に示すように底部幅員が開口部幅員に比し小さい逆台形線状としたりした形態としてある。この易剥離性シール４自体は、容器本体１の外部からの押圧による加圧・圧迫、例えば手指等による強制的な押圧作用で調味材封入部３自体の内圧がこれに耐え得ない状態となるときに容器本体１を切裂させることなく剥離され、内部に収容した調味材Ｄを容器本体１の底部がわに供給噴出させるようになっている。
【００２４】
この易剥離性シール４は、剥離されることで食材Ｆに所定の調味材Ｄを供給するとき、食材Ｆに対して調味材Ｄが満遍なく振り掛かるようにすることが望ましい。例えば剥離部分を調味材封入部３の上部がわとしたり、連続させずに点線・鎖線状の断続配置としたり、剥離に部分的な時間差が生じるようにシール部位の強弱を部分的に調整設定したり、等とすることができる。
【００２５】
この易剥離性シール４は、容器本体１の開口部の部位で上端となっていて、後述する開口部閉塞シール７によって調味材封入部３の開口部も閉塞されている。図示にあっては、この易剥離性シール４の上端位置は容器本体１の開口部における端部に合致しているが、開口部の端部に比し内がわに位置されていても良く、内がわに位置させることで容器本体１内、調味材封入部３内への所定のガスの充填を同時に処理できる利点がある。
【００２６】
また、この易剥離性シール４における容器本体１の上下方向に沿う両脇部分では、容器本体１の両脇部分との間に若干の空隙が設定されており、この空隙部分の容器本体１内に十分なガス量が充填されることで空隙部分をいわば中空柱状となるようにしている。こうすることで、容器本体１をそのガゼット底部２によって自立させたとき、中空柱状の空隙部分が調味材封入部３自体をも自立状態とさせ、調味材Ｄの重量によるいわゆるへたり現象を阻止し、商品としての体裁を良好にする。
【００２７】
なお、調味材封入部３には、食材Ｆに対応した調味液、調味料とされるも、これ等に限らず、例えば湿気分が含まれている食材Ｆに混ぜ合わせるようにした、乾燥されている顆粒状・小塊状等の豆・乾燥果実・種子類等の食材Ｆであっても良く、要は、容器本体１内に収納された食材Ｆに混ぜ合わせられることで、あるいは混ぜ合わせることが好適な喫食可能となる各種の食材Ｆであっても良い。
【００２８】
図示を省略したが、この調味材封入部３は、必要があれば異なる食材、調味材をそれぞれ封入可能にした複数の区画部分・部屋室等に分割形成もでき、ただ上記したように外部からの押圧作用で剥離される易剥離性シール４によって容器本体１内にこれらが供給されるようになっていれば良い。
【００２９】
また、前記開封破断部５は、外部からの押圧作用で剥離された易剥離性シール４によって調味材封入部３内部の調味材Ｄ等を容器本体１内の食材Ｆに供給した後の所定の調味作業の終了後で、容器本体１を開封するようになっている。そのため、容器本体１を底部に平行な水平方向で開封破断し、調味材封入部３がある容器本体１の上部を破断除去した容器本体１の底部がわをそのまま食器代用として、あるいは他の食器に内部の食材Ｆを移し替えさせて喫食可能にしている。また、破断操作を容易にするために、この開封破断部５における端部には、例えばＶ字状の切込を切欠状に形成しておくと良い。この開封破断部５に沿う破断開封には、容器本体１自体が水平方向に沿っての易裂方向性を備えていることが望ましく、こうすることで手指による開封操作を容易にさせる。もとより、容器本体１における水平方向に沿う破断開封にはやや斜向した方向も含むのは勿論である。
【００３０】
図６において示された他の実施の形態では、この開封破断部５に沿って、易裂方向性のある帯テープ状の破断案内片６を、この破断案内片６における破断方向を容器本体１の破断方向に合致させて貼着して成る。こうすることで、破断方向が特に調整設定されていない素材によって容器本体１が形成されていても、容器本体１を破断案内片６によって水平方向に沿った破断開封を可能にする。
【００３１】
図中符号７は、食材Ｆが投入された容器本体１、調味材Ｄが収納された調味材封入部３それぞれの開口部を閉塞する開口部閉塞シールであり、上述したように容器本体１内には容器本体１を自立可能とさせるに足る大気、その他の所定ガスのガス量を、また調味材封入部３内には外部からの押圧作用で易剥離性シール４を剥離させるに足るガス量を充填した状態で、容器本体１、調味材封入部３それぞれの開口部を閉塞するようになっている。なお、閉塞時に充填されるガス量は、容器本体１内の圧力に比し調味材封入部３内の圧力がやや大きくなるように調整設定されることが望ましく、調味材封入部３に対する外部からの押圧作用で剥離される易剥離性シール４部位を経て調味材Ｄが容器本体１内に供給されるようにしている。
【００３２】
このような食品包装容器に所定の食材Ｆ、調味材Ｄを封入するには、先ず、開封破断部５が形成されている、開口した容器本体１内に所定量の食材Ｆを投入収納した後、前後側壁片相互間を易剥離性シール４によって接合して調味材封入部３を区画形成する。このとき、易剥離性シール４によって容器本体１の底部がわが閉塞される場合には、容器本体１の底部がわに食材Ｆの投入と共に例えば大気・窒素ガス・炭酸ガス等による十分な所定のガス量を充填して調味材封入部３の外がわ部分が自立可能な状態にしておく。次いで、調味材封入部３内に所定量の調味材を投入し、調味材封入部３，容器本体１内に十分なガス量の充填と共に容器本体１の開口部を閉塞し、その後、必要があれば適宜に包装する。尚、食材Ｆの投入、調味材Ｄの投入等の処理工程中では、容器本体１の開口部を上方に向けたままで良く、いわゆる流れ作業によって順次に処理することができる。そして、出荷され、店頭にて陳列販売される。
【００３３】
喫食時には、図３に示すように調味材封入部３を外部から押圧して調味材封入部３の内部圧力を増大させることで易剥離性シール４を剥離させる。すると、調味材封入部３内の調味材Ｄが容器本体１内に収納してあった食材Ｆに供給されるものとなり、その状態で容器本体１を例えば上下、前後、左右等に適宜に振り動かし（図４参照）、容器本体１内で食材Ｆと調味材Ｄとを混ぜ合わせることで調味する。その後、図５に示すように開封破断部５によって容器本体１を開封破断して調味材封入部３がある容器本体１の上部を切除し、容器本体１の底部がわをそのまま食器代用としてあるいは他の食器等に移し替えて喫食すれば良い。
【符号の説明】
【００３４】
Ｆ…食材                                Ｄ…調味材
１…容器本体                            ２…ガゼット底部
３…調味材封入部                        ４…易剥離性シール
５…開封破断部                          ６…破断案内片
７…開口部閉塞シール
【図１】
2017214072.tif 000003
【図２】
2017214072.tif 000004
【図３】
2017214072.tif 000005
【図４】
2017214072.tif 000006
【図５】
2017214072.tif 000007
【図６】
2017214072.tif 000008